(57)【要約】      （修正有）【課題】種々の角度の入隅部に貼り付けて補強でき、かつ友切の際に切断されにくいコーナーテープを提供する。【解決手段】第一のテープ基材５と、第二のテープ基材４と、粘着層３と、離型層２とがこの順に積層されたコーナーテープであって、第二のテープ基材にミシン目状の切れ込みが施される。【選択図】図５
2016008407.tif 000002
【特許請求の範囲】
【請求項１】
第一のテープ基材５と、第二のテープ基材４と、粘着層３と、離型層２とがこの順に積層されたコーナーテープであって、第二のテープ基材にミシン目状の切れ込みが施されてなる、コーナーテープ。
【請求項２】
第一のテープ基材５の表面の少なくとも一部が毛羽立てられている、請求項１に記載のコーナーテープ。
【発明の詳細な説明】
【技術分野】
【０００１】
本発明は、コーナーテープに関し、詳しくは内壁の入隅部に貼り付けて使用されるコーナーテープに関する。
【背景技術】
【０００２】
コーナーテープは、内壁の入隅部、出隅部（コーナー部分）に、当該コーナー部分を補強するために張り付けられるテープである。内壁の入隅部に貼り付けるためのコーナーテープとしては、内壁の入隅部の角度にあわせて予め成型した型物（図１）、テープ形状の中央付近の位置に折れ曲げやすくするために周辺より肉厚を薄くしたテープ品（図２）がある。また、折れ曲げ部のみ柔らかい材料構成にしたものも知られている（特許文献１）。
【０００３】
ここで、内壁の入隅部の仕上げに壁紙を用いる場合、２枚の壁紙を入隅部で接するよう貼ることがある。この場合、当該入隅部で２枚の壁紙の間に隙間が出来ないように、入隅部分付近で壁紙を２枚重ね合わせ、その状態で切断する、所謂重ね切が通常行われる（図３）。その際、刃物により壁紙２枚を切断するが、コーナーテープは壁紙で覆われているため目視することができないため、力が入りすぎたときにはコーナーテープにまで刃先が入ってしまい、コーナーの補強のために入れているコーナーテープを切断してしまうことがあった。
【０００４】
ここで、上記図１に示すような型物は肉厚が厚いため切れにくいが、定型であるため内装下地の入隅部の角度が直角でない場合は使えない。また、上記図２に示すようなテープ形状の中央付近の線に沿って肉厚を薄くしたテープ形状品は、入隅部が直角でない場合も角度を自由に出来るが、折り曲げ部の肉厚が薄いため上記重ね切の際に切断されやすい。また、切断されにくいように折り曲げ部の肉厚を上げると、折れ曲げ性が低下してしまう。
【先行技術文献】
【特許文献】
【０００５】
【特許文献１】特開2012-246672
【発明の概要】
【発明が解決しようとする課題】
【０００６】
本発明は、種々の角度の入隅部に貼り付けて補強をすることができ、かつ上記友切の際に切断されにくいコーナーテープを提供することを課題とする。
【課題を解決するための手段】
【０００７】
かかる状況の下、本発明者らは鋭意研究した結果、コーナーテープの折り曲げ部分の強度、厚み等を調製して重ね切の際のテープの切断を防ぐのではなく、折り曲げ部分にカッターの刃先が到達した際に、作業者がそれを認識し、それ以上刃先を推し進めないようにすることにより切断を防ぐという方法に着目した。かかる新たな着想のもと、折り曲げ部の形状について種々の検討を加えた結果、本発明を完成するにいたった。
【０００８】
従って、本発明は、以下の項を提供する。
【０００９】
項１．第一のテープ基材５と、第二のテープ基材４と、粘着層３と、離型層２とがこの順に積層されたコーナーテープであって、第二のテープ基材にミシン目状の切れ込みが施されてなる、コーナーテープ。
【００１０】
項２．第一のテープ基材５の表面の少なくとも一部が毛羽立てられている、項１に記載のコーナーテープ。
【発明の効果】
【００１１】
本発明のコーナーテープは、第２のテープ基材にミシン目状の切れ込みがあるため、入隅部の角度に合わせて折り曲げて使用することができる。また、本発明のコーナーテープは、第２のテープ基材にミシン目状の切れ込みがあるため、友切の際、ミシン目状の切れ込みに起因する凹凸により、カッターの刃先がコーナーテープに達すると、作業者がそれを認識することができ、コーナーテープの切断を防ぐことができる。
【図面の簡単な説明】
【００１２】
【図１】内壁の入隅部の角度にあわせて予め成型した従来のコーナーテープを示す。
【図２】テープ形状の中央付近の位置に折れ曲げやすくするために周辺より肉厚を薄くした従来のコーナーテープを示す。
【図３】重ね切の概略を示す。
【図４】本発明のコーナーテープの１実施形態における、第一のテープ基材及び第二のテープ基材部分の断面図及び平面図を示す。
【図５】本発明のコーナーテープの１実施形態における断面図を示す。
【図６】本発明の一実施形態におけるコーナーテープの第一のテープ基材５の構成を示す概略図である。
【図７】本発明の一実施形態におけるコーナーテープの第一のテープ基材５の構成を示す概略図である。
【図８】本発明の一実施形態におけるコーナーテープの第一のテープ基材５の構成を示す概略図である。
【発明を実施するための形態】
【００１３】
コーナーテープ
本発明は、第一のテープ基材５と、第二のテープ基材４と、粘着層３と、離型層２とがこの順に積層されたコーナーテープであって、第２のテープ基材にミシン目状の切れ込みが施されてなる、コーナーテープを提供する。
【００１４】
本発明のコーナーテープ１は、図５に示されるように、第一のテープ基材５と、第二のテープ基材４と、粘着層３と、離型層２とがこの順となるように積層されたものである。第一のテープ基材５と、第二のテープ基材４は融着、熱圧着などにより一体化してもよく、第一のテープ基材５と、第二のテープ基材４の間に、粘着層７を形成してもよい。
【００１５】
第一のテープ基材５
本発明のコーナーテープに用いられる第一のテープ基材５は柔軟性の材料であり、コーナーテープ１の剛性は、第二のテープ基材４がその主な役割を担っている。
【００１６】
第一のテープ基材５の素材としては、特に限定されず、例えば、不織布、経糸及び緯糸を有する織布、及びこれらを組合わせた布、これらの布にラミネート加工を施したラミネート加工布等を挙げることができる。尚、本発明における織布は、織物といいかえることもできる。本発明において、第一のテープ基材５に用いる布は、変形可能であって入隅、出隅への追従性が良好であり、巻き癖が取りやすかったり二つ折りにしたときの形状が保持できる等の作業性がよいものが好ましい。このような追従性を有するための好ましい実施形態として、特に限定されないが、以下の構成が挙げられる：
・単一の不織布もしくは２種以上の不織布の積層体（即ち、不織布のみからなる）
・単一の織布もしくは２種以上の織布の積層体（即ち、織布のみからなる）
・フィルムと不織布もしくは織布の積層体。フィルム及び不織布もしくは織布は、各々単一の層であってもよく、２種以上のフィルム/ラミネートを積層してもよい。フィルムと不織布もしくは織布を積層する場合、平滑なフィルムがパテと反対側であり、表面に繊維による凹凸を有する不織布もしくは織布はパテ側である。
【００１７】
２以上のフィルム、不織布、織布のラミネートは圧着、熱融着などにより行うことができる。
【００１８】
尚、縦横の糸を紡績してなる織布を用いる場合、本明細書においては、地球の経緯度にちなんで、縦糸を経糸、横糸を緯糸と表現する。当該実施形態において、コーナーテープの長尺方向と平行な方向に経糸を配し、経糸と直行する方向に緯糸を配する。
【００１９】
第一のテープ基材５の厚さは、例えば、７０〜１８０μｍ程度、好ましくは７０〜１５０μｍ程度、より好ましくは１００〜１３０μｍ程度である。
【００２０】
本発明のコーナーテープは、少なくとも第二のテープ基材４にミシン目状の切れ込みが施されていることを特徴とする。従って、第一のテープ基材５にミシン目状の切れ込みが施されていないものも本発明に含まれ得るが、本発明においては、第二のテープ基材４だけでなく第一のテープ基材５にもミシン目状の切れ込みが施されていても良い。
【００２１】
本発明において、パテの密着性を向上させるために、第一のテープ基材５の表面の少なくとも一部が毛羽立てられていてもよい。当該実施形態において、具体的には、本発明においては、特に布の繊維がパテ内部に積極的に入り込むように、種々の加工方法を用いパテの密着を改善させている。より具体的には、密着性を改善する方法としては、布の繊維がパテ内部に入り込むように、人為的に布の繊維の一部を断裂させ、ヒゲのように布表面から繊維を毛羽立たせることが挙げられる。
【００２２】
繊維の一部を断裂させる手段としては、突起物を繊維に引っかけて断裂させる手段がある。具体的な手段としては、紙ヤスリ、網ヤスリ、金属ヤスリ等のヤスリに布をあてがい擦る方法や、ノッチナイフ、ミシン刃、ゼンマイ刃、パーフォレーションナイフの刃物や、バフロール、ワイヤーブラシ等の布より硬い繊維で擦る方法や、ローレット加工の切り出しを鋭くして多角錐の突起を形成させた工具でする方法が挙げられる。
【００２３】
これらの加工方法の内から、コストや加工効率、工具寿命を考慮して適宜選択される。紙ヤスリ、多角錐の突起を形成させた工具での加工が好ましい。紙ヤスリを用いる場合、ＪＩＳ R 6010に規定する＃50以上＃１０００以下の紙ヤスリを用いることが好ましい。より好ましくは＃６０以上＃８００以下、更に好ましくは＃８０以上＃４００以下である。
【００２４】
第一のテープ基材５として、織布を用いる場合、コーナーテープのテープとしての強度を維持するためには、コーナーテープの長尺方向の強度が重要である。そのためには、経糸を切断せず、当該の毛羽立ち加工を施すには、緯糸を選択的に加工することが好ましい。当該実施形態では、刃物やヤスリの方向と布の加工移動方向が緯糸を断裂しない方向になるようにすることが重要である。
【００２５】
図６に、本発明の一実施形態として、コーナーテープの第一のテープ基材５に織布を用いた場合の概略図を示す。図６Ａに加工前のテープ基材５を示す。図６Ｂに、点線で経糸８及び緯糸９を示す。そして、緯糸を選択的に加工し、これを断裂させた図を図６Ｃに示す。
【００２６】
また、第一のテープ基材５を毛羽立たせる加工としては、繊維の少なくとも一部を剥離させる方法も挙げられる。図７に本発明の別の実施形態として、コーナーテープの第一のテープ基材５にラミネート加工した織布を用いた場合の概略図を示す。図７Ａに加工前のテープ基材５を示す。図７Ｂに、点線で経糸８及び緯糸９を示す。そして、図７Ｂを、実線１０を含みテープ基材５に垂直な面で切断した断面図を図８Ａとして示す。当該テープ基材５の緯糸、経糸の少なくとも一部を剥離させた図を図８Ｂとして示す。図７及び８においては、織布の経糸８及び緯糸９を共に剥離させた実施形態を示したが、これらの糸のうち一方のみを剥離させてもよく、テープ基材５の強度の点からは、緯糸を剥離させることが好ましい。尚、図５〜７においては、テープ基材５の構造を特に説明するため、コーナーテープ１におけるそれ以外の部材（第二のテープ基材４，４’、粘着層３，３’、及び離型層２，２’）の記載は省略している。
【００２７】
また、本発明においてテープ基材５に織布を用いる場合、テープ基材５の緯糸及び経糸は密に織り込まれているため、緯糸の少なくとも一部を断裂又は剥離させようとして、意図せず経線の一部も断裂又は剥離してしまうこともあり得る。従って、「緯糸の少なくとも一部を断裂させ」た基材又は「緯糸の少なくとも一部を剥離させ」たテープ基材５には、加工により当該テープ基材５の緯糸の少なくとも一部を断裂又は剥離させる工程により、経線の一部も断裂又は剥離してしまったものも含まれる。
【００２８】
また、本発明において、第一のテープ基材５に不織布を用いる場合も上記と同様の方法により毛羽立たせる加工を行うことができる。その際、織布と同様に、強度を保持するような方向に加工を行うことが好ましい。
【００２９】
本発明において、第一のテープ基材５は、その繊維の少なくとも一部を断裂又は剥離した結果、パテに対する密着力が１．５Ｎ／２５ｍｍ以上であることが好ましい。本発明において、密着力とは、後述の試験例に記載の方法で測定された密着力を示す。
第一のテープ基材５は、その繊維の少なくとも一部を断裂又は剥離した結果、平均して、５〜２００本／ｃｍ２の繊維が断裂又は剥離により毛羽立っていることが好ましい。
【００３０】
本発明において、第一のテープ基材５として、縦糸及び横糸を有し、かつ縦糸または横糸の少なくとも一方の糸密度が３５本／２５ｍｍ以下のものを用いると、パテののりが良くなり、かつパテがはがれ難いので施工しやすいため好ましい。また、緯糸の原糸１本当りのフィラメント数が、例えば、７０〜２００本の織布が好ましく、１００〜１７０本のものがより好ましい。
【００３１】
第一のテープ基材５は、非粘着側の表面に凹凸を有し、これによりパテ保持性を有する。しかしながら、この非粘着側表面の凹凸は微細であるので、パテを塗らずに壁紙、クロスなどを直接貼着した場合であっても、壁紙、クロスに該凹凸は反映しない。第一のテープ基材５の非粘着側は、織布又は不織布もしくは紙のような微細な凹凸を有する材料であるか、或いはエンボス加工などにより表面に凹凸を付与することができる。本発明において、第一のテープ基材５は、パテが入り込みアンカー作用を有するような貫通孔はない。
【００３２】
第一のテープ基材５の外表面の微細な凹凸もしくは織布ないし不織布における繊維間の微細な孔は、パテとの密着性を高めることはできるが、パテはアンカー性を有するほど内部に入り込むことはないため、パテの使用量を低減できる。
【００３３】
第一のテープ基材５の非粘着部側表面の凹凸、即ち平均表面粗さＲaは、１〜２０μｍ程度、好ましくは２〜１０μｍ程度である。平均表面粗さＲaは、ＪＩＳ B 0601の記載に従って測定することができる。
【００３４】
第一のテープ基材５がフィルムもしくはフィルムラミネートの場合、その材質としてポリエチレン、ポリプロピレン、エチレン-プロピレン共重合体などのポリオレフィン樹脂、ポリアミド、などが挙げられ、織布としては、ＰＥＴなどのポリエステル、ポリエチレン、ポリプロピレン、エチレン-プロピレン共重合体などのポリオレフィン樹脂、ナイロン６，ナイロン６，６などのポリアミド、塩化ビニル、ビニロン、レーヨン（スフを含む）、アセテートなどの繊維を織ったものが挙げられる。不織布としては、合成繊維、紙パルプ又はこれらの２種以上の混合素材で構成され、織らずに繊維を接合しているものが挙げられる。合成繊維としては、ポリアミド、ポリビニルアルコール系繊維、ＰＥＴなどのポリエステル、ポリアクリロニトリルなどのアクリル、 ポリエチレン、ポリプロピレンなどのポリオレフィン、ポリウレタン、ポリ塩化ビニルなどが挙げられる。繊維は、形状保持樹脂の緯糸を使用するのが好ましい。
【００３５】
第一のテープ基材５はフィラーを含むと、折り目を付けた後、或いは隅部に貼着した後の戻りを抑制することができる。このようなフィラーとしては、アルミナ、シリカ、酸化チタン、タルク、クレー、炭酸カルシウム、マイカ、ケイ酸塩類、炭酸塩類、ガラス繊維などが挙げられる。
【００３６】
第二のテープ基材４
本発明のコーナーテープは、第二のテープ基材４にミシン目状の切れ込みが施されていることを特徴とする。ミシン目状の切れ込みの加工法は限定しないが、たとえば、トムソン刃、ピナクル刃、ダイロール等の刃物により加工することが出来る。
【００３７】
本発明において、第二のテープ基材４の厚みは、１００〜５００μｍが望ましく、さらに１８８〜３５０μｍがより好ましい。第二のテープ基材４の厚みを上記範囲とすることで、ミシン目を刃物がなぞるときの感覚が作業者に伝わりやすくなって耐切断性が得られやすくなる。
【００３８】
また、当該ミシン目により切り抜く部分と残す部分の比率を一定の範囲することが好ましい。具体的には、例えば、ミシン目のピッチ（切り抜く部分の長手方向長さと残す部分の長手方向長さとの比率）を１：１〜１：５とすることが好ましく、１：２〜１：４とすることがさらに好ましい。上記範囲とすることで、刃物がなぞったときに切り抜き部がつながってしまい切断されてしまうことを防ぐことができ、かつ曲げがしやすく、ミシン目を刃物がなぞるときの感覚が作業者に伝わりやすいため好ましい。
【００３９】
ミシン目の位置は特に限定されないが、例えば、コーナーテープの中心線付近に施される。ここで、コーナーテープの中心線とは、コーナーテープの長手方向に沿う線であってコーナーテープの両端の幅方向中心を結ぶ線を意味する。
【００４０】
このような第二のテープ基材４の材質としては、ポリエチレンテレフタレート（ＰＥＴ）、ポリブチレンテレフタレートなどのポリエステル、ポリメチルメタアクリレート（ＰＭＭＡ）、ポリカーボネート、ポリスチレン、ポリアセテート、ポリ塩化ビニル、ポリエチレン、ポリプロピレン、ポリビニルブチラール、ポリウレタンなどが挙げられ、好ましくは比較的引っ張り弾性率の高いＰＥＴなどのポリエステルである。
【００４１】
第二のテープ基材４の幅は、特に限定されないが、例えば、５ｍｍ〜１００ｍｍ程度が好ましい。
【００４２】
粘着層３
本発明のコーナーテープは、粘着層３により、対象物に付着する。
【００４３】
粘着層３に使用される粘着剤としては、特に限定されないが、例えば、アクリル系粘着剤、シリコーン系粘着剤、ゴム系粘着剤が挙げられ、アクリル系粘着剤が好ましい。粘着層の厚みは、特に限定されないが、１０〜３００μｍ、好ましくは３０〜１００μｍを例示できる。
【００４４】
第一のテープ基材５と第二のテープ基材４との間に粘着層７を積層する場合は、粘着層７と、粘着層３の粘着面の表裏をクロス基材側を裏と表現すると、表裏で粘着力が同等あるいは表面の粘着力が裏面よりも低いことが望ましい。表裏で粘着力が同等あるいは表面の粘着力が裏面よりも低いと、コーナーテープを石膏ボードに施工する際、ズレを修正するため張り直した場合、両面テープに伴いクロス基材が剥離することが抑えられ、そのコーナー部材を再利用することができるからである。また、表面の粘着力を抑えることにより、石膏ボード紙面に施工し、張り直す際に巻きむしれが抑えられ、この点からもコーナーテープの再利用が可能となる。
【００４５】
離型層２
離型層２は、特に限定されないが、例えば、上質紙にポリオレフィン系樹脂をラミネートしたもの、クラフト紙にシリコーン系離型剤を積層したもの、などが好適に用いられる。離型層２の厚さは、特に限定されないが、10μｍ〜５００μｍ程度を例示することができる。
【００４６】
離型層２以外のコーナーテープの全厚は、例えば、２００〜６００μｍ程度、好ましくは２５０〜５００μｍ程度である。
【００４７】
ここで、離型層２以外のコーナーテープの全厚は、例えば図５の構成の場合には、第一のテープ基材５、第二のテープ基材４、粘着層３の合計の厚みであり、粘着層７が存在する場合には、上記厚みに加えて粘着層７に相当する部分も加えた合計の厚みである。
【００４８】
コーナーテープの製造方法
本発明は、第一のテープ基材５と、第二のテープ基材４と、粘着層３と、離型層２とをこの順となるように積層する工程を含む、前記コーナーテープの製造方法を提供する。
【００４９】
これら各工程を行うための方法及び条件については、自体公知の方法に準じて適宜設定できる。本発明においては、予めミシン目が施された第二のテープ基材４を上記積層工程に供してもよく、上記積層工程の途中又は後に、少なくとも第二のテープ基材４にミシン目が形成されるように、加工をしてもよい。例えば、第一のテープ基材５と、第二のテープ基材４と、粘着層３と、離型層２とをこの順となるように積層した後、ミシン目を形成してもよい。この場合、第一のテープ基材５と、第二のテープ基材４と、粘着層３と、離型層２の全てにミシン目を施しても、第一のテープ基材５と、第二のテープ基材４のみにミシン目を施しても、第一のテープ基材５と、第二のテープ基材４と、粘着層３とにミシン目を施しても、第二のテープ基材４と、粘着層３と、離型層２にミシン目を施してもよい。また、例えば、第二のテープ基材４と、粘着層３と、離型層２とを積層した段階で、第二のテープ基材４のみにミシン目を施しても、第二のテープ基材４と、粘着層３とにミシン目を施してもよい。
【００５０】
また、前述した好ましい実施形態において、第一のテープ基材５の表面の少なくとも一部が毛羽立てられているコーナーテープを製造する場合、上記方法に、第一のテープ基材５に対し、当該基材を構成する繊維の一部を断裂又は剥離させる処理をする工程をさらに含む、前記コーナーテープの製造方法を提供する。
【００５１】
また、本発明の方法には、
まず第一のテープ基材５に対し、当該基材を構成する繊維の一部を断裂又は剥離させる処理をする工程を行い、そして上記処理を行った第一のテープ基材５と、第二のテープ基材４と、粘着層３と、離型層２とをこの順となるように積層する工程を行う方法だけでなく、
まず第一のテープ基材５と、第二のテープ基材４と、粘着層３と、離型層２とをこの順となるように積層する工程を行い、次にその状態で第一のテープ基材５に対し、当該基材を構成する繊維の一部を断裂又は剥離させる処理をする工程を行う方法も含まれる。
【００５２】
また、本発明の方法においては、最終的に上記の順に各層が積層されればよく、基材、粘着層、及び離型層を積層する各工程の順番は問わない。例えば、本発明の方法には、第一のテープ基材５と、粘着層７（必要に応じて）と、第二のテープ基材４と、粘着層３と、離型層２とをこの順に積層する方法だけでなく、まず粘着層７（必要に応じて）と、第二のテープ基材４と、粘着層３と、離型層２とを積層し、当該積層体の第二のテープ基材４又は粘着層７を挿入する場合には当該粘着層７に第一のテープ基材５を積層する方法も含まれる。
【００５３】
以下に、実施例・比較例に記載の具体的な実施形態を用いて本発明について説明するが、本発明はこれらの特定の実施形態に限定されない。
【実施例】
【００５４】
第二のテープ基材として厚み２５０μｍのポリエチレンテレフタレートフィルムを用い、粘着層にはアクリル系粘着剤（日本触媒AST-8550E）１００重量部に対し、架橋材としてイソシアネート（日本ポリウレタン  L45E）を粘着層３側は２重量部、粘着層７側は１重量部配合し、各層厚み３０μｍ塗布し、粘着層３側に離型層２を積層し、両面テープの巻物を得た。この積層物を得る方法としては、通常の両面テープの製造方法による。
【００５５】
第一のテープ基材５は、ポリエステル樹脂繊維からなる織物に、押し出しラミネート法によりポリエチレン樹脂８０μｍを積層して、第一のテープ基材５を得た。
【００５６】
上記両面テープと第一のテープ基材５を圧着ロールにて積層し、積層物の幅方向の中心位置にトムソンミシン刃により、ミシン目を加工した。切り抜き部の刃長さを１ｍｍ取り、ミシン目の切り抜く部分と残す部分の比率を変えた。
【００５７】
評価項目としては、耐切断性、折り曲げやすさ、折目形状記憶性を評価した。
【００５８】
耐切断性は、入隅モデルを石膏ボードで作製し、上記サンプルを貼り付け、その上に壁紙二枚を入隅部にて重ね合わせ、カッターナイフにて壁紙二枚を切った後、サンプルが切り離されていなければ◎、一部切れていれば○、完全に切り離されていれば×とする。
【００５９】
折れ曲げやすさは、軽い力で折れる場合が◎、無理ない力で折れる場合が○、狙いの位置で折れない場合は×とした。
【００６０】
作業者への刃先の感覚の伝わりは、よくわかれば◎、わかる○、わからないを×とした。
【００６１】
【表１】
2016008407.tif 000003
【図２】
2016008407.tif 000004
【図６】
2016008407.tif 000005
【図７】
2016008407.tif 000006
【図１】
2016008407.tif 000007
【図３】
2016008407.tif 000008
【図４】
2016008407.tif 000009
【図５】
2016008407.tif 000010
【図８】
2016008407.tif 000011